(57)【特許請求の範囲】
【請求項１】
プリフォーム支持具内に挿入されたプリフォームの口栓部内にマンドレルを挿着し、加熱処理後にプリフォームの口栓部からマンドレルを吊り上げて抜出すると共に、プリフォーム支持具からプリフォームを抜出する工程で使用し、且つ、ポリエステルボトルのプリフォーム口栓部の内径を規制するマンドレルにおいて、
マンドレルの一端に鍔部を設けると共に、他端側に、プリフォーム支持具へ挿入する支持具差口と、マンドレルのプリフォーム口栓部内への進入程度を規制する、段差角度（θ）３０±２°範囲に形成された段差ストッパーを介して、プリフォームの内径を規制するプリフォーム差口とテーパー部とを設け、
前記鍔部の外径寸法を、プリフォーム支持具の受口開口部の外径寸法よりも大きく設定し、前記支持具差口の外径寸法を、プリフォーム支持具の受口開口部の内径寸法と略同一に設定し、且つ、前記プリフォーム差口の外径寸法を、プリフォーム口栓部の長さ寸法範囲においてプリフォームの内径寸法と略同一に設定することを特徴とするボトル口栓部の内径規制マンドレル。
【発明の詳細な説明】
【０００１】
【発明の属する技術分野】
本発明は、ポリエステルボトルのプリフォーム口栓部の加熱白化処理を効率的に行なうための内径規制マンドレルに関するものである。
【０００２】
【従来の技術及び発明が解決しようとする課題】
ポリエステルボトルの口栓部は、母体であるプリフォームの段階で加熱処理されて規格寸法に成形されると共に、加熱結晶化（白化）により耐熱性が付与されるものであるが、上記ポリエステルボトルのプリフォーム口栓部の内径を規制するマンドレルは、移動する搬送機上のプリフォーム支持具に挿入したプリフォームの口栓部に挿着されて加熱ゾーンへ搬送導入される。
この時、先づ、筒状のプリフォーム支持具内にプリフォームを挿入し、次工程で上記プリフォームの口栓部内にマンドレルを挿着している。
【０００３】
そして、上記加熱ゾーン内で口栓部が白化処理され内径規制されたプリフォームは、次工程の冷却ゾーン内へ搬送導入されて冷却されたのち、プリフォーム支持具とマンドレルから取り外される。
この時、先づ、プリフォーム口栓部からマンドレルを抜出し、次工程でプリフォームを支持具から抜出し、更に、空になった支持具は最初の工程に戻って未処理のプリフォームを受け入れる準備をするものである。
【０００４】
しかしながら、図６に部分断面図で示す如く、従来用いられていたマンドレル６の鍔部６１の外径寸法ｘは、プリフォーム支持具７の開口部７１の内径寸法ｙよりも小さかったために、マンドレル６を装着して加熱ゾーンへ導入する前工程における何らかのトラブル原因により、プリフォームがプリフォーム支持具７に載架されない状態で搬送されてくると、マンドレル６を装着する時に図示通りプリフォーム支持具７内へ落し込まれてしまうことになる。
この支持具７内に落し込まれてしまったマンドレル６は取出しが容易ではなく、搬送機の運転を都度停止して一々トラブル処理を行なわざるを得ず、そのロスタイムは大きく、また、搬送機の運転を停止せずに続行すれば歩留り低下を来すことは必至であると云う問題がある。
【０００５】
本発明は、上記課題を解決するために、内径規制マンドレルの鍔部の外径寸法を、プリフォーム支持具の受口開口部の外径寸法よりも大きく設定することにより、何らかの工程トラブル原因によりプリフォームが支持具に載架されない状態で搬送されてきたとしても、マンドレルがプリフォーム支持具内へ落ち込むことがないようにしたマンドレルを提供せんとするものである。
【０００６】
【課題を解決するための手段】
本発明は上記課題を解決するためのものであって、その要旨は、ポリエステルボトルのプリフォーム口栓部の内径を規制するマンドレルにおいて、該マンドレルの一端に設けた鍔部の外径寸法を、プリフォーム支持具の受口開口部の内径寸法よりも大きく設定したことを特徴とするボトル口栓部の内径規制マンドレルである。
【０００７】
【発明の実施の形態】
以下、本発明の実施例を図面に基づき具体的に説明する。
図１は、本発明の一実施例を斜視図で示し、図２は、本発明の一実施例を側断面図で示し、図３は、本発明の他の実施例を斜視図で示し、図４は、本発明を、支持具に挿着したプリフォームから抜出する状態を部分断面図で示し、図５は、本発明を、プリフォームが挿着されていない支持具からマンドレルを抜出する状態を部分断面図で示す。
【０００８】
本発明は、図１、図３に斜視図で、また、図２に側断面図で示す如く、ポリエステルボトルのプリフォーム（以下、単に「ＰＦ」と云う）２の口栓部２１の内径を規制するマンドレル１において、該マンドレル１の一端に設けた鍔部１１の外径寸法ｄ１１を、ＰＦ支持具３の受口開口部３１の内径寸法ｄ３１よりも大きく設定したことを特徴とするものであり、また、ＰＦ口栓部２１に挿入するマンドレル１のＰＦ差口１２２の外径寸法ｄ１２２は、少なくとも、ＰＦ口栓部２１の長さ寸法範囲Ｌ１においてＰＦ口栓部２１の内径寸法ｄ２１と略同一に設定すると共に、前記ＰＦ差口１２２の延長部位を先細りに形成したことを特徴とするものである。
【０００９】
上記本発明によれば、ＰＦ口栓部２１の白化処理工程の前工程から、何らかの理由でＰＦ支持具３にＰＦ２が載架されないまま搬送されてきた場合であっても、挿着しようとしたマンドレル１に形成した鍔部１１がＰＦ支持具３の受口開口部３１に係止して、マンドレル１がＰＦ支持具３内へ落ち込むことがなくなる。
そこで、ＰＦ２がなくてもマンドレル１をＰＦ支持具３から吊り上げてこれを簡単に取出してＰＦ支持具３を空の状態にすることができ、最初の工程で支障なくＰＦ支持具３にＰＦ２を挿入したのち、該ＰＦ２の口栓部２１にマンドレル１を挿着することができるので、ＰＦ２及びマンドレル１の受け渡しのロスが少なくなり、歩留りの低下が抑えられると云う作用効果を奏するものである。
【００１０】
ここで、マンドレル１の鍔部１１の外径寸法ｄ１１を、ＰＦ支持具３の外径寸法ｄ３１０よりも大きく設定することにより、上記鍔部１１の外周を把握するタイプの吊り具４を使用することができるので、より好ましい。
【００１１】
【実施例】
本発明でポリエステルボトルの口栓部の内径を規制するマンドレル１の一実施例のものは、図１、図２に示す如く、一端に鍔部１１が設けられていると共に、他端側に長さ寸法Ｌの内挿部１２が形成されているものであって、該内挿部１２には、ＰＦ支持具３へ挿入する支持具差口１２１と、段差ストッパー１２４を介して、ＰＦ２の内径を規制する長さ寸法Ｌ１のＰＦ差口１２２とテーパー部１２３とが各々連設されている。
【００１２】
上記段差ストッパー１２４は、マンドレル１のＰＦ口栓部２１内への進入程度を規制するものであり、支持具差口１２１からＰＦ差口１２２へ移行する部位に、好ましくは段差角度θを３０±２゜範囲に形成し、また、他の実施例の段差ストッパー１２４は、図３に示す如く、マンドレル１のＰＦ口栓部２１への進入程度を規制するよう内挿部１２外面に周設した凸条部により形成されている。
【００１３】
そして、上記マンドレル１の一端に形成された鍔部１１の外径寸法ｄ１１は、ＰＦ支持具３の受口開口部３１の外径寸法ｄ３１０よりも大きく設定され、また、上記内挿部１２の支持具差口１２１の外径寸法ｄ１２１は、ＰＦ支持具３の受口開口部３１の内径寸法ｄ３１と略同一に設定され、且つ、上記ＰＦ差口１２２の外径寸法ｄ１２２は、ＰＦ口栓部２１の長さ寸法Ｌ１の範囲においてＰＦ２の内径寸法ｄ２１と略同一に設定されている。
【００１４】
ここで、支持具差口１２１の外径寸法ｄ１２１が、ＰＦ支持具３の受口開口部３１の内径寸法ｄ３１と略同一に設定されていると、ＰＦ２が載架されていない場合に、図５に示すように、支持具差口１２１が受口開口部３１に遊びが少なく挿着できるので、ＰＦ支持具３と中心が合ってぐらつかず、吊り具４による取出しが正確に行なえるので好ましい。
【００１５】
また、上記ＰＦ差口１２２を延長して連設されるテーパー部１２３の外径寸法ｄ１２３は、ＰＦ差口１２２の外径寸法ｄ１２２より小さくして、図１、図２の如く、二段構えに形成してもよいが、図３、図４の如く、マンドレル１の末端部に一段に形成してもよい。
上記の如く、ＰＦ差口１２２に連設するテーパー部１２３を形成したことにより、ＰＦ口栓部２１又はＰＦ支持具３の受口開口部３１へ、マンドレル１を簡単且つ円滑に着脱できるものである。
【００１６】
本発明は上記構成よりなっているので、図４に示す如く、ＰＦ口栓部２１の加熱処理工程の前工程から、平常通りにＰＦ２がＰＦ支持具３に載架された状態で搬送されてきた場合は、吊り具４で吊持されたマンドレル１の内挿部１２を、円滑にＰＦ２の口栓部２１へ落し入れて挿着し、そのまま加熱処理工程を通過せしめ、そして、加熱処理を終ったのちに、マンドレル１の鍔部１１に吊り具４を引っ掛けて矢印方向に引き揚げることにより、円滑にマンドレル１をＰＦ口栓部２１から拔出することができる。
【００１７】
また、図５に部分断面図で示す如く、何らかの理由でＰＦ支持具３にＰＦ２が載架されないまま搬送されてきた場合であっても、マンドレル１に形成した鍔部１１がＰＦ支持具３の受口開口部３１に係止して、マンドレル１がＰＦ支持具３内へ落ち込んでしまうことがなくなるので、直ちに、吊り具４によりマンドレル１をＰＦ支持具３から吊り上げて簡単に取出しできる。
【００１８】
上述の如く、本発明によれば、ＰＦ口栓部２１の白化処理工程の前工程から、平常通りにＰＦ２がＰＦ支持具３に載架された状態で搬送されてきた場合は勿論のこと、何らかの理由でＰＦ支持具３にＰＦ２が載架されないまま搬送されてきた場合であっても、マンドレル１に形成した鍔部１１が支持具３の上端縁に係止して、マンドレル１がＰＦ支持具３内へ落ち込むことがなくなる。
【００１９】
従って、直ちに、吊り具４によりマンドレル１をＰＦ支持具３から吊り上げて取出すことができるので、引続き、ＰＦ支持具３にＰＦ２を挿入し、マンドレル１をＰＦ２の口栓部２１に挿着することによりマンドレル１の受け渡しのロスタイムが少なくなり、歩留りが向上するものである。
【００２０】
【発明の効果】
本発明は上記構成よりなるので下記効果を奏する。
即ち、本発明により、プリフォーム支持具にプリフォームが載架されないまま白化処理工程に搬送されてきた場合であっても、マンドレルがプリフォーム支持具内へ落ち込むことがなくなり、直ちに、マンドレルをプリフォーム支持具から外し、間断なくプリフォーム支持具へ挿着できるので、マンドレルの受け渡しのロスタイムが少なくなると共に、歩留りの低下が抑えられると云う作用効果を奏する。
【図面の簡単な説明】
【図１】本発明の一実施例を斜視図で示す。
【図２】本発明の一実施例を側断面図で示す。
【図３】本発明の他の実施例を斜視図で示す。
【図４】本発明を、支持具に挿着したプリフォームから抜出する状態を部分断面図で示す。
【図５】本発明を、プリフォームが挿着されていない支持具から抜出する状態を部分断面図で示す。
【図６】従来例において、マンドレルが支持具内に落ち込んだ状態を部分断面図で示す。
【符号の説明】
１        マンドレル
１１      鍔部
１２      内挿部
１２１    支持具差口
１２２    ＰＦ差口
１２３    テーパー部
１２４    段差ストッパー
２        ＰＦ（プリフォーム）
２１      ＰＦ口栓部
２２      ＰＦ本体
２３      ＰＦ鍔部
３        ＰＦ支持具
３１      受口開口部
４        吊り具
ｄ１１    鍔部の外径
ｄ１２１  支持具差口の外径
ｄ１２２  ＰＦ差口の外径
ｄ１２３  テーパー部の外径
ｄ３１    受口開口部の内径
ｄ３１０  受口開口部の外径
Ｌ        マンドレル内挿部の長さ
Ｌ１      ＰＦ差口の長さ
【図１】
0004567108.tif 000002
【図２】
0004567108.tif 000003
【図３】
0004567108.tif 000004
【図４】
0004567108.tif 000005
【図５】
0004567108.tif 000006
【図６】
0004567108.tif 000007